(57)【要約】【課題】  この発明の課題は、古いストロボ筐体の外観を脱却し、且つ発光部の破損、損傷などを防止し、ガイド番号の異なる発光部も備え、そのうえスポットも実現できるストロボを提供するものである。【解決手段】  好ましくは扁平の角柱形で内部に電源機能、コントロール機能、及びその他の機能を含み発光機能を除いたストロボとして必要な機能を内蔵したストロボ本体と、該ストロボ本体の左右に設けられたストロボの発光機能である発光部と、該発光部に設けられそれぞれの発光部を発光させる選択をするスイッチと、カメラの発光を受光し前記発光部の選択された片方又は両方を発光させるスレーブと、前記ストロボ本体と一体的に形成され左右の前記発光部を収納する収納部とからなることを特徴とするストロボ。【選択図】    図１
2006195117.tif 000002
【特許請求の範囲】
【請求項１】
好ましくは扁平の角柱形で内部に電源機能、コントロール機能、及びその他の機能を含み発光機能を除いたストロボとして必要な機能を内蔵したストロボ本体と、該ストロボ本体の左右に設けられたストロボの発光機能である発光部と、該発光部に設けられそれぞれの発光部を発光させる選択をするスイッチと、カメラの発光を受光し前記発光部の選択された片方又は両方を発光させるスレーブと、前記ストロボ本体と一体的に形成され左右の前記発光部を収納する収納部とからなることを特徴とするストロボ。
【請求項２】
前記ストロボ本体の左右に設けられた発光部はそれぞれガイド番号を異ならしめてなることを特徴とする請求項１記載のストロボ。
【請求項３】
前記ストロボ本体の左右に形成された発光部はストロボ本体に対して左右に移動する嵌合構造としてなることを特徴とする請求項１記載のストロボ。
【請求項４】
前記発光部が収納されたストロボ本体には前記発光部に対応してスポット穴を形成してなることを特徴とするストロボ。
【発明の詳細な説明】
【技術分野】
【０００１】
この発明はスティックタイプのストロボでこのストロボの左右に設けた収納部に発光部を収納するようにしたトロボに関する。
【背景技術】
【０００２】
従来、所謂外付けのストロボもいろいろの形状が考察されユーザの購買意欲を高めようとされているが、比較的ストロボ自体の筐体が外部に直接露出していて傷などが付き易かったり、破損したり又古い筐体のイメージが強かったりしている。そこで、扁平な筐体を採用し、古いイメージを脱却し、しかもガイド番号も異なる発光部を左右に備え、要否に応じてストロボ本体の収納部から取り出しができしかもスポットも実現できるストロボが望まれている。
【特許文献１】特開平１−１７８９４４号公報
【発明の開示】
【発明が解決しようとする課題】
【０００３】
従って、この発明の課題は、古いストロボ筐体の外観を脱却し、且つ発光部の破損、損傷などを防止し、ガイド番号の異なる発光部も備え、そのうえスポットも実現できるストロボを提供するものである。
【課題を解決するための手段】
【０００４】
上記の課題を解決するために好ましくは扁平の角柱形で内部に電源機能、コントロール機能、及びその他の機能を含み発光機能を除いたストロボとして必要な機能を内蔵したストロボ本体と、該ストロボ本体の左右に設けられたストロボの発光機能である発光部と、該発光部に設けられそれぞれの発光部を発光させる選択をするスイッチと、カメラの発光を受光し前記発光部の選択された片方又は両方を発光させるスレーブと、前記ストロボ本体と一体的に形成され左右の前記発光部を収納する収納部とからなることで古いストロボの外観イメージを脱却できしかも発光部の破損、損傷が防止でき同時に、ガイド番号の異なる発光部を同時に発光できしかもスポットも実現できるストロボが提供できる。
【発明の効果】
【０００５】
請求項１では左右の発光部を動じにまたは片方を発光できる効果がある。
請求項２では左右の発光部のガイド番号を異ならしめることができる効果がある。
請求項３では左右の発光部を外部からの何らかの衝撃に対して保護ができる効果がある。
請求項４では発光部に対してそれぞれスポット穴が形成できることで同時にスポット穴を利用できる効果がある。
【発明を実施するための最良の形態】
【０００６】
（実施形態１）
以下、この発明の実施例を添付図面、図１に基づいて説明する。
図１の１はプラスチック製で扁平な長細い短冊状であり、両端は開口したストロボ本体である。この開口部にストロボ本体と寸法がやや小さい相似形のストロボの発光部２、３が左右から収納する構造になっている。
【０００７】
ストロボ本体１と発光部２、３との収納状態は発光部２、３がややきつくストロボ本体１内に収納され、発光機能をさせる場合は収納状態から発光部２，３が現れ外部に露出するような寸法に設定してある。つまり、発光部２，３はスイッチとガイド機能を兼務したスイッチ４，５によってガイドされストロボ本体１の内外に収納露出する構造で、前記スイッチ４，５はストロボ本体１の側部の溝６，７に挿入されていて発光部２，３の突没時にガイドされるものである。
【０００８】
ストロボ本体１の中央部にはストロボの電源機能、コントロール機能等発光部以外のストロボのその他の機能が収納されている中枢部８が設けられている。従ってストロボ本体１はケース内で中枢部８と発光部２，３を収納する収納部９，１０に内部で区画されている。
【０００９】
前記ストロボ本体１の収納部９，１０の前記発行部２，３に対応する位置にはスポット穴１１，１２が開けられている。発光部２，３の頭部にはスレーブ１３、１４が設けてあってカメラの発光があるとこれに感応してストロボ本体１によって発光部２，３を発光させるものである。尚この場合スレーブ１３は発光部２の頭部にあるので図面には現れていない。
【００１０】
かくして、ストロボ本体１の発光部２を使用する場合は発光部２をストロボ本体１の収納部９よりスイッチ４を摘んで矢印X方向、つまり矢印Bと反対方向に引き出す。スイッチ４は溝６内に挿入されているから溝６に案内されて発光部２を外部へ露出されるわけである。勿論スイッチ４は発光部２の側壁に固定されているものである。
【００１１】
前記発光部３をストロボ本体１から露出する場合も前記発行部２を露出させる時と同じでスイッチ５を摘んで発光部３を矢印Y方向、矢印Aと反対方向にそれぞれ動かすと発光部３は外部に露出できる。前記スレーブ１３，１４がカメラの光を受光すると予めスイッチ４，５がONしてあるから発光部２，３は発光する。
【００１２】
勿論発光部２，３は単独に収納部９，１０に対して突没できるものである。外部に露出した発光部２，３をストロボ本体１に収納する場合は発光部２，３を露出する場合の逆の操作を行えばよく、これによって発光部２，３はすべてストロボ本体内に収納されることになる。尚発光部２，３のガイド番号はそれぞれ異ならしめているから、撮影者はそれぞれのガイド番号の発光部２，３を選択できる。
【００１３】
次にスポットを利用する場合は前記発行部２，３を収納部９，１０に収納するとスポット穴１１，１２は発光部２，３の全面に対応しているからスポット穴１１，１２を通してストロボ発光の光を得ることができるものである。勿論必要に応じてスポット穴１１，１２の直径を任意に選択すればよい。前記スイッチ４，５は発光部２、或いは３を発光させる状態にするスイッチで押し込みタイプでオン、オフするものである。
【００１４】
このようにガイド番号を異ならしめた発光部２，３を構成したので必要に応じてガイド番号の異なる発光を行うことができる。またこれらガイド番号のことなる光に対してスポット穴１１，１２によってスポットが実現できしかも発光部２，３は単独または左右の利用ができるものである。
【図面の簡単な説明】
【００１５】
【図１】この発明に係わるストロボ本体の斜視図。（実施形態１）
【符号の説明】
【００１６】
１  ストロボ本体
２、３  発光部
４、５  スイッチ
６、７  溝
８  中枢部
９、１０  収納部
１１、１２  スポット穴
１３、１４  スレーブ
【図１】
2006195117.tif 000003